(57)【特許請求の範囲】
【請求項１】
転写テープを巻回保持する供給リール及び巻取リールと、これら供給リール及び巻取リールを回転可能に支持する支持板とを有するリフィルを具備するものであって、
前記供給リールと前記支持板との間、又は前記巻取リールと前記支持板との間に回り止め部材を挿脱可能に設けているとともに、この回り止め部材を所定の挿入位置に配した際に供給リール又は巻取リールの回転を抑制することを特徴とする転写具。
【請求項２】
前記回り止め部材を前記挿入位置に保持させるための回り止め部材保持部を有することを特徴とする請求項１記載の転写具。
【請求項３】
前記回り止め部材保持部が、前記回り止め部材と前記支持板とのうち一方に設けた突起と、他方に前記突起と係合可能に設けた凹部とを係合させてなることを特徴とする請求項２記載の転写具。
【請求項４】
前記支持板が、板状をなす支持板本体と、この支持板本体から突出させて設けた供給リール支持部又は巻取リール支持部とを具備するとともに、前記回り止め部材が、挿入位置においてこの供給リール支持部又は巻取リール支持部に当接する位置決め部を有することを特徴とする請求項１、２又は３記載の転写具。
【請求項５】
第１のケースと、この第１のケースと対をなす第２のケースとをさらに具備し、これら第１及び第２のケースを使用位置と開放位置との間で相対移動可能であるともに、前記回り止め部材が、板状をなし前記供給リールと前記支持板との間、又は前記巻取リールと前記支持板との間に挿入可能な本体と、この本体の一端部から突出させて設けたつまみ部とを具備し、この回り止め部材を前記挿入位置に配して前記第１及び第２のケースを相対移動させる際に、いずれか一方のケースが前記つまみ部に当接して前記使用位置へのそれ以上の移動を規制することを特徴とする請求項１、２、３又は４記載の転写具。
【発明の詳細な説明】
【技術分野】
【０００１】
本発明は、転写テープを巻回保持する供給リール及び巻取リールと、これら供給リール及び巻取リールを回転可能に支持する支持板とを有するリフィルを具備する転写具に関する。
【背景技術】
【０００２】
従来、転写テープを巻回保持する供給リール及び巻取リールと、これら供給リール及び巻取リールを回転可能に支持する支持板とを有するリフィルを具備するとともに、このリフィルをケースに対して着脱可能に構成している転写具が広く用いられている。このような転写具においては、転写テープの全量が巻取リールに巻き取られた際にリフィルを交換可能にしているので、リフィルをケースに装着した態様の転写具の形だけでなく、詰め替え用リフィルを単独で流通させることが広く行われてきている。そして、詰め替え用リフィルを単独で流通させる際に、従来は、輸送中等に供給リール又は巻取リールが不必要に回転し、転写テープを巻き戻す必要が発生する手間が発生すること等を防ぐべく、厚紙等で構成され供給リール及び巻取リールの芯部に挿入可能な回り止め部材を挿入した形で流通させることことが多く行われている。また、リフィルに回転止め手段を設けるとともに、このリフィルを保持するケースに前記回転止め手段の回転止め解除部に係合可能な解除係合部を設けることも考えられている（例えば、特許文献１、２を参照）。
【特許文献１】特開２００１−７１６８９号公報
【特許文献２】特開２００５−２８６７０号公報
【発明の開示】
【発明が解決しようとする課題】
【０００３】
ところで、上述したような供給リール及び巻取リールの芯部に挿入可能な回り止め部材を供給リール及び巻取リールの芯部に挿入した形でリフィルを流通させる場合、この回り止め部材は、供給リールと巻取リールとの間の領域でリフィルの外部に露出する。ここで、このような回り止め部材を厚紙で構成すると、輸送の際等に受ける衝撃によりリフィルの外部に露出した部分が破損し、供給リール又は巻取リールが不必要に回転し、転写テープを巻き戻す必要が発生する手間が発生してしまうことが起こり得る。一方、このような回り止め部材をより剛性の高い材料で構成すると、供給リールの芯及び巻取リールの芯に挿入可能でありかつこれらを接続する形状に形成する必要があるため、必要とする材料の量が多くなってしまう。また、リフィルに回転止め手段を設ける場合、ケースに前記回転止め手段の回転止め解除部に係合可能な解除係合部を設ける必要があり、従来のリフィル及びケースとの設計の共通化が困難になる不具合が存在する。
【０００４】
本発明は、以上に述べた課題を解決すべく構成するものである。
【課題を解決するための手段】
【０００５】
すなわち、本発明に係る転写具は、転写テープを巻回保持する供給リール及び巻取リールと、これら供給リール及び巻取リールを回転可能に支持する支持板とを有するリフィルを具備するものであって、前記供給リールと前記支持板との間、又は前記巻取リールと前記支持板との間に回り止め部材を挿脱可能に設けているとともに、この回り止め部材を所定の挿入位置に配した際に供給リール又は巻取リールの回転を抑制することを特徴とする。
【０００６】
このようなものであれば、前記リフィルを単独で流通させる際に、前記挿入位置に配した回り止め部材と前記供給リール又は巻取リールとの間、及びこの回り止め部材と前記支持板との間にそれぞれ発生する摩擦力により供給リール又は巻取リールの回転を抑制できる。すなわち、前記リフィルを単独で流通させる際の供給リール又は巻取リールの不必要な回転を、小型の回り止め部材により確実に抑制できる。また、この回り止め部材は、前記供給リールと前記支持板との間、又は前記巻取リールと前記支持板との間に挿入させてなるので、このリフィル以外の部分には設計の変更を加える必要がなく、従来の転写具との設計の共通化が可能な部分をより多くすることができる。
【０００７】
このような回り止め部材により供給リール又は巻取リールの不必要な回転をより確実に抑制できる構成として、前記回り止め部材を前記挿入位置に保持させるための回り止め部材保持部を有するものが挙げられる。
【０００８】
このような回り止め部材保持部を簡単な構成で実現できる態様の一つとして、前記回り止め部材保持部が、前記回り止め部材と前記支持板とのうち一方に設けた突起と、他方に前記突起と係合可能に設けた凹部とを係合させてなるものが挙げられる。このようなものであれば、回り止め部材を前記挿入位置に係止しておくための特別な部品を必要とせず、部品点数は増加しないからである。
【０００９】
このような回り止め部材の挿入位置への位置決めをより確実に行うための態様として、前記支持板が、板状をなす支持板本体と、この支持板本体から突出させて設けた供給リール支持部又は巻取リール支持部とを具備するとともに、前記回り止め部材が、挿入位置においてこの供給リール支持部又は巻取リール支持部に当接する位置決め部を有するものが挙げられる。
【００１０】
さらに、第１のケースと、この第１のケースと対をなす第２のケースとをさらに具備し、これら第１及び第２のケースを使用位置と開放位置との間で相対移動可能な転写具において、回り止め部材を挿入位置に配したままこれらのケースを使用位置に移動させて供給リールからの転写テープの供給を抑制した状態のまま転写具を使用し転写テープの切断などの不具合が発生することを防ぐための態様として、前記回り止め部材が、板状をなし前記供給リールと前記支持板との間、又は前記巻取リールと前記支持板との間に挿入可能な本体と、この本体の一端部から突出させて設けたつまみ部とを具備し、この回り止め部材を前記挿入位置に配して前記第１及び第２のケースを相対移動させる際に、いずれか一方のケースが前記つまみ部に当接して前記使用位置へのそれ以上の移動を規制するものが挙げられる。
【発明の効果】
【００１１】
本発明に係る転写具の構成によれば、前記リフィルを単独で流通させる際に、前記挿入位置に配した回り止め部材と前記供給リール又は巻取リールとの間、及びこの回り止め部材と前記支持板との間にそれぞれ発生する摩擦力により供給リール又は巻取リールの回転を抑制できる。すなわち、前記リフィルを単独で流通させる際の供給リール又は巻取リールの不必要な回転を小型の回り止め部材により抑制できる。また、この回り止め部材は、前記供給リールと前記支持板との間、又は前記巻取リールと前記支持板との間に挿入させてなるので、このリフィル以外の部分には設計の変更を加える必要がなく、従来の転写具との設計の共通化が可能な部分をより多くすることができる。
【発明を実施するための最良の形態】
【００１２】
以下、本発明の一実施形態を、図面を参照して説明する。
【００１３】
本実施形態に係る転写具Ａは、図１、図２、図３、図４及び図５に示すように、ケース部２及びこのケース部２に保持可能なリフィル３を有する転写具本体１と、この転写具本体１、具体的にはリフィル３に保持させてなる転写ヘッド４と、前記転写具本体１、具体的にはケース部２に枢着してなるヘッドキャップ５とを具備する。なお、図１には、転写具Ａのヘッドキャップ５を後述する閉止位置Ｐに配した状態の斜視図、図２には、転写具Ａのヘッドキャップ５を後述する開成位置Ａに配した状態の斜視図をそれぞれ示している。また、図３には、転写具Ａの分解斜視図をしめしている。さらに、図４（ａ）には、転写具Ａの側面図、同図の（ｂ）には転写具Ａの底面図、同図の（ｃ）には転写具Ａの中央縦断面図をそれぞれ示している。
【００１４】
以下、転写具Ａを構成する各部について説明する。以下の説明において、「前」とは、特別な限定がない限り、転写ヘッド４がある側を指し、「後」とは転写ヘッド４とは反対の側を指す。また、転写物は、糊や、被転写体である紙面あるいはフィルムに書かれたり印刷された文字や図形などを修正する修正インキ塗膜等が考えられる。
【００１５】
前記転写具本体１は、上述したように、ケース部２と、このケース部２の内部に着脱可能に保持させてなるリフィル３とを具備する。前記ケース部２は、第１のケース６と、この第１のケース６と対をなす第２のケース７と、これら第１及び第２のケース６、７を使用位置Ｓと開放位置Ｏとの間で相対移動可能に接続する蝶番２１とを具備する。
【００１６】
前記ケース部２の構成各部についてさらに詳述すると、第１のケース６は、図６に示すように、この第１のケース６の主体をなす主壁６１と、その主壁６１に一体に形成されて主壁６１を取り巻く外壁６２とを備えている。また、この第１のケース６には、前記主壁６１及び外壁６２に区成され前記リフィル３を内部に収納可能なリフィル収納空間Ｓを形成している。なお、図５には、同実施形態に係る転写具の第１及び第２のケース６、７を開放位置Ｏに相対移動させた状態の側面図を示している。一方、前記図１、図２、及び図４では、第１及び第２のケース６、７を使用位置Ｓに相対移動させた状態を示している。そして、図６の（ａ）にはこの第１のケース６の側面図、同図の（ｂ）にはこの第１のケース６の底面図、そして同図の（ｃ）にはこの第１のケース６の中央縦断面図をそれぞれ示している。
【００１７】
主壁６１は、その内側にリフィル３の供給リール３２を回転可能に取り付けるための供給リール取付部６１１と、リフィル３の巻取リール３３を回転可能に支持する巻取リール取付部６１２とを有している。供給リール取付部６１１は、供給リール３２の後述する噛合穴（図示略）に挿入することにより当該供給リール３２とともに回転し得る供給リール支持部６１１ａと、供給リール支持部６１１ａに対して図示しない滑り機構を介して同軸に取り付けた駆動ギヤ６１１ｂとを有している。巻き取りリール取付部６１２は主壁６１から略円筒形状に一体に形成されたものであり、巻き取りリール３３の先端に形成した後述する巻き取りリール取付穴（図示略）に挿入し得るものとなっている。
【００１８】
外壁６２は、前記主壁６１の外縁のうち前端部を除く部位から突出させて設けている。ここで、この外壁６２の後端部に前記蝶番２１を設けるべく、この外壁６２の後端部を蝶番対応部位６２ａとしている。この蝶番対応部位６２ａの外周面は、この外壁６２の他の部位の外周面と連続する形状に形成している。また、前記転写ヘッド４は、この外壁６２を設けていない部位であるヘッド露出開口部を貫通して外部に露出するようにしている。
【００１９】
第２のケース７は、図７に示すように、第１のケース６のリフィル収納空間Ｓを実質的に閉止する蓋部７１と、その蓋部７１の外縁から突出し突出端側が第１のケース６の外壁６２と重なり合う外壁７２とを備えている。なお、図７の（ａ）にはこの第２のケース７の側面図、同図の（ｂ）にはこの第２のケース７の底面図、そして同図の（ｃ）にはこの第２のケース７の中央縦断面図をそれぞれ示している。
【００２０】
蓋部７１は、供給リール３２並びに巻き取りリール３３の中心に対応する二箇所において支持板３４に設けた被支持穴３４３、３４４にそれぞれ嵌り得る挿入突起７１１、７１２をそれぞれ形成している。
【００２１】
一方、外壁７２の後端部に前記蝶番２１を設けるべく、この外壁７２の後端部を蝶番対応部位７２ａとしている。この蝶番対応部位７２ａの外周面は、この外壁７２の他の部位の外周面と連続する形状に形成している。
【００２２】
また、第１のケース６と第２のケース７との間には、これら第１及び第２のケース６、７との確実な係合を実現すべく、前側係合手段及び後側係合手段を設けている。前記前側係合手段は、第１のケース６の外壁６２の前部に設けた前係合凹部６２ｘと、第２のケース７の外壁７２に使用位置Ｓにおいて前記前係合凹部６２ｘと前後方向位置が一致する部位に設けた前係合爪７２１とを係合させてなる。前記後側係合手段は、第１のケース６の外壁６２の前後方向中央部に設けた後係合凹部６２ｙと、第２のケース７の外壁７２に使用位置Ｓにおいて前記後係合凹部６２ｙと前後方向位置が一致する部位に設けられこの後係合凹部６２ｙと係合する係合位置と前記係合凹部６２ｙから離間する離間位置との間で移動可能な後係合爪７２２とを係合させてなる。そして、前記後係合爪７２２近傍に操作部７２３を設けていて、この操作部７２３が操作力を受け付けると前記後係合爪７２２が弾性変形して係合位置から離間位置に移動するようにしている。
【００２３】
一方、蝶番２１は、上述したように、第１及び第２のケース６、７を、使用位置Ｓと開放位置Ｏとの間で相対移動可能に接続する。本実施形態では、この蝶番２１は、第２のケース７の外縁よりも内方に設けている。さらに詳述すると、この蝶番２１は、前記第２のケース７から突出させて設けた軸部材２１１と、前記第１のケース６に１対に設けられこの軸部材２１１を両側から枢支する軸受２１２、２１２とを利用して形成している。そして、前記第１のケース６の蝶番２１近傍の部位、望ましくは前記軸受２１２、２１２の前方に、開成位置Ｑにおいて前記第２のケース７を受入可能な退避空間ＳＳを設けている。
【００２４】
また本実施形態に係る転写具Ａはさらに、第１のケース６及びリフィル３に亘って設けられ、前記供給リール３２の回転を前記巻取リール３３へと伝達する伝達機構を具備する。
【００２５】
前記リフィル３は、第１のケース６と第２のケース７との間に保持されるものであり、未使用の転写テープを巻き付けた状態で保持する供給リール３２と、使用済みの転写テープのフィルムを巻き取る巻取リール３３と、これら供給リール３２及び巻取リール３３を回転可能に支持するとともに転写ヘッド４を一体的に保持している支持板３４とを具備する。
【００２６】
また、転写テープに設けた転写物を被転写体に転写し得る転写ヘッド４は、本実施形態では前記リフィル３に支持させてなるとともにこれらリフィル３及び転写ヘッド４を一体的に扱うようにしている。
【００２７】
供給リール３２は、図４に示すように、当該供給リール３２の主体をなす供給リール本体３２１と、上述した供給リール支持部６１２ａに対して転写テープが引き出された際の供給リール３２の回転を伝達可能に噛合いながら収容し得る噛合穴３２ｘとを有している。
【００２８】
巻取リール３３は、図４に示すように、当該巻取リール３３の主体をなす巻取リール本体３３１と、上述した巻取リール取付部６３に対して回転し得るように巻き取りリール取付部６１２を収容し得る巻取リール取付穴３３ｘと、巻取リール取付穴３３ｘの周縁部に形成され、上述した駆動ギヤ６１２ｂに対して噛合い得る従動ギヤ部３３ａとを有している。すなわち本実施形態では、供給リール取付部６１２を構成する供給リール支持部６１２ａ並びに駆動ギヤ６１２ｂと、斯かる従動ギヤ部３３ａとによって伝達機構を構成している。
【００２９】
支持板３４は、図４に示すように、前端部分に転写ヘッド４の基端部４１を回転動作不能に保持させてなり、第１のケース６に対向する面において供給リール３２並びに巻き取りリール３３を回転可能に保持する供給リール保持部３４１並びに巻取リール保持部３４２と、第２のケース７に対向する面における供給リール３２並びに巻き取りリール３３の中心に該当する箇所にそれぞれ設けられた被支持穴３４ｘ、３４ｙとを有している。ま
転写ヘッド４は、図３及び図５に示すように、リフィル３の支持板３４に一体的に形成された基端部４１と、基端部４１から前方へ延出する延出板４２と、延出板４２の両側に形成された外側板たる規制板４３と、規制板４３の先端に回転可能に支持された折り返し案内部たる転写ローラ４４とを有している。基端部４１は、本実施形態では使用時の転写ヘッド４の押圧時に若干弾性変形し得るように設定されている。規制板４３、４３は使用時の転写テープの側方のずれを抑制して安定した転写テープの走行並びに転写物の正確な被転写物への転写に供するものである。すなわち、規制板４３、４３間に転写テープ挿通路を形成している。転写ローラ４４は、転写テープを被転写物へ好適に押圧するために、表面を例えば弾性変形し得る素材で構成したものとしている。また、この転写ヘッド４の基端部４１と第１のケース６と第２のケース７との間に、基端部４１とケース部２（すなわち第１のケース６及び第２のケース７）との相対的な回動を禁止し得る係合部を設けている。この係合部は、前記転写ヘッド４の基端部４１に設けられこの転写具Ａの幅方向に開口する十字溝４１ｘと、前記第１のケース６及び第２のケース７に設けた十字リブ６１９、７１９とを係合させてなる。
【００３０】
前記ヘッドキャップ５は、前記第１のケース６に枢着軸部５３を介して枢着してなり、前記転写ヘッド４の先端部を被覆し得る閉止位置Ｐと前記転写ヘッド４の先端部すなわち少なくとも規制板４３、４３及び転写ローラ４４を表出させてなる開成位置Ｑとの間で回動動作可能である。
【００３１】
このヘッドキャップ５は、具体的には図９に示すように、、閉止位置Ｐにおいて前記転写ヘッド４の規制板４３の下面（転写対象に向かうべき面）に対向し該転写ヘッド４の先端下部を被覆するキャップ本体５１と、このキャップ本体５１の両側端縁から延伸する接続アーム５２と、この接続アーム５２の端部に設けられ前記第一ケース部材６の外壁６２に設けたキャップ受部６２１に枢支させてなる枢着軸部５３とを具備する。そして、このヘッドキャップ５は、閉止位置Ｐに配した際に、前記転写ヘッド４の挿脱軌跡の外側に位置する。本実施形態では、前記転写ヘッド４の挿脱軌跡は、前記リフィル３と一体に構成した転写ヘッド４を、第１のケース６に取り付けた状態の位置から、前記供給リール取付部６１２の長手寸法すなわち主壁６１からの突出幅だけ抜き取り方向に移動させた位置までの転写ヘッド４の軌跡を指す。すなわち、このヘッドキャップ５を閉止位置Ｐに配した際に、このヘッドキャップ５が抜き取り方向側側面視転写ヘッド４に重合しない形状を有する。さらに言い換えれば、このヘッドキャップ５は、前記転写ヘッド４の抜き取り方向側に該転写ヘッド４の挿脱方向への移動を可能にすべくヘッド挿脱空間を形成可能にしている。そして、このヘッドキャップ５は、閉止位置Ｐに配した際に前記転写ヘッド４の転写ローラ４４を内部に収納可能なヘッド収納凹部５ｘを有する。なお、図９の（ａ）にはこのヘッドキャップ５の右側面図、同図の（ｂ）にはこのヘッドキャップ５の底面図、同図の（ｃ）にはこのヘッドキャップ５の平面図、そして同図の（ｄ）にはこのヘッドキャップ５の左側面図をそれぞれ示している。
【００３２】
また、このヘッドキャップ５の枢着軸部５３近傍には、このヘッドキャップ５を前記閉止位置Ｐ及び前記開成位置Ｑのいずれかに選択的に弾性付勢する付勢機構５４を設けている。具体的には、図８に示すように、前記枢着軸部５３から延伸して突起５５を設けているとともに、前記第１ケース６の軸受に隣接させて前記突起５５に摺接可能なカム面部６ａを設けている。このカム面部６ａと、前記突起５５とが摺接することにより、該突起５５及び枢着軸部５３を設けた側の接続アーム５２が弾性変形し、他の接続アーム５２に接近する方向に移動する構成を有する。また、前記カム面部６ａは、前記ヘッドキャップ５が前記閉止位置Ｐと前記開成位置Ｑとの中間に位置する際に前記枢着軸部５３の軸心との距離が最小となるとともに、接続アーム５２の移動量が最大となる思案点Ｘを１箇所のみ有し、この思案点Ｘよりも前記ヘッドキャップ５が前記閉止位置Ｐ寄りであれば閉止位置Ｐに向けて、また、この思案点よりも前記ヘッドキャップ５が前記開成位置Ｑ寄りであれば開成位置Ｑに向けて、ヘッドキャップ５をそれぞれ付勢する。なお、図８の（ａ）にはこのヘッドキャップ５を閉止位置Ｐに配した状態、同図の（ｂ）にはこのヘッドキャップ５を思案点Ｘに配した状態、そして同図の（ｃ）にはこのヘッドキャップ５を開成位置Ｑに配した状態をそれぞれ示している。
【００３３】
しかして本実施形態では、前記供給リール３２と前記支持板３４との間には、リフィル３単独での輸送時における供給リール３２の回り止めを図るべく、回り止め部材９を挿脱可能にしている。この回り止め部材９は、図１０に示すように、前記供給リール３２と前記支持板３４との間に挿入させてなる回り止め本体９１と、この回り止め本体９１の一端部に設けてなりこの回り止め部材９を所定の挿入位置に配した際に前記第１のケース６の供給リール支持部６１１ａに当接する当接部９２と、前記回り止め本体９１の他端部に設けてなり第１のケース６にリフィル３を取り付けた状態で第２のケース７側に突出するつまみ部９３と、前記回り止め本体９１の一表面に設けてなりこの回り止め部材９を所定の挿入位置に配した際に前記支持板３４に設けた係合凹部３４ｚと係合可能な突起９４とを具備する。なお、図１０の（ａ）にはこの回り止め部材９の斜視図、同図の（ｂ）にはこの回り止め部材９の正面図、同図の（ｃ）にはこの回り止め部材９の側面図、そして同図の（ｄ）にはこの回り止め部材９の平面図をそれぞれ示している。
【００３４】
以上に述べたように、本発明に係る転写具Ａは、転写テープＴを巻回保持する供給リール３２及び巻取リール３３と、これら供給リール３２及び巻取リール３３を回転可能に支持する支持板３４とを有するリフィル３を具備するものであって、前記供給リール３２と前記支持板３４との間に回り止め部材９を挿脱可能に設けているとともに、この回り止め部材９を所定の挿入位置に配した際に供給リール３２又は巻取リールの回転を抑制する。従って、前記リフィル３を単独で流通させる際に、前記挿入位置に配した回り止め部材９と前記供給リール３２との間、及びこの回り止め部材９と前記支持板３４との間にそれぞれ発生する摩擦力により、回り止め部材９はリフィル３から抜脱しにくく、供給リール３２の回転をより確実に抑制できる。すなわち、前記リフィル３を単独で流通させる際の供給リール３２の不必要な回転を抑制できる。
【００３５】
また、前記回り止め部材９を前記挿入位置に保持させるための回り止め部材保持部Ｈを有するので、回り止め部材９はリフィル３からさらに抜脱しにくくなり、このような回り止め部材９により供給リール３２の不必要な回転をさらに確実に抑制できる。
【００３６】
前記回り止め部材保持部Ｈが、前記支持板３４に設けた突起と、回り止め部材９に前記突起と係合可能に設けた凹部とを係合させてなるので、回り止め部材９を前記挿入位置に係止しておくための特別な部品を必要とせず、部品点数を増加させることなく簡単な構成で回り止め部材保持部Ｈを実現できる。
【００３７】
加えて、前記支持板３４が、板状をなす支持板本体３４１と、この支持板本体３４１から突出させて設けた供給リール支持部３４２とを具備するとともに、前記回り止め部材９が、挿入位置においてこの供給リール支持部３４２に当接する位置決め部９２を有するので、このような回り止め部材９の挿入位置への位置決めをより確実に行うことができる。
【００３８】
さらに、第１のケース６と、この第１のケース６と対をなす第２のケース７とをさらに具備し、これら第１及び第２のケース６、７を使用位置Ｓと開放位置Ｏとの間で相対移動可能であるとともに、前記回り止め部材９が、板状をなし前記供給リール３２と前記支持板３４との間に挿入可能な本体９１と、この本体９１の一端部から突出させて設けたつまみ部９３とを具備し、この回り止め部材９を前記挿入位置に配して前記第１及び第２のケース６、７を相対移動させる際に、第２のケース７が前記つまみ部９３に当接して前記使用位置Ｓに向かうそれ以上の移動を規制するので、回り止め部材９を挿入位置に配したままこれら第１、第２のケース６、７を使用位置Ｓに移動させて供給リール３２からの転写テープＴの供給を抑制した状態のまま転写具Ａを使用し転写テープＴが切断することなどの不具合が発生することを防ぐことができる。
【００３９】
なお、本発明は、以上に述べた実施形態に限らない。
【００４０】
例えば、上述した実施形態では、供給リールと支持板との間に回り止め部材を挿入するようにしているが、巻取リールと支持板との間に回り止め部材を挿入するようにしてももちろんよい。
【００４１】
また、前記回り止め部材及び前記支持板に重合可能に設けたピン挿通孔と、これらピン挿通孔に挿通させてなる係止ピンとを用いた回り止め部材保持部を採用してもよい。なお、このような回り止め部材保持部であれば、回り止め部材の挿入位置への位置決めを行う位置決め部としての機能を備えさせることもできる。
【００４２】
加えて、前記回り止め部材を前記挿入位置に保持させるための回り止め部材保持部を設ける代わりに、回り止め本体の厚さ寸法を前記供給リールと前記支持板との間、又は前記巻取リールと前記支持板との間に挿入可能な最大限度に設定して支持板の弾性変形に伴う弾性力を利用することや、回り止め本体の表面の略全域に凹凸を設け、前記供給リールと前記支持板との間、又は前記巻取リールと前記支持板との間の摩擦係数を大きくすること等により回り止めの抜け止めを図るようにしてもよい。
【００４３】
そして、リフィルの支持板、及びこの支持板に重合する第２のケースがともに透明であり、かつ回り止め部材が不透明である場合等、回り止め部材をリフィルに取り付けたまま誤って転写具を使用しないようにするための構成を採用したものであれば、つまみ部は省略してもよい。
【００４４】
その他、本発明の趣旨を逸脱しない範囲で種々変形が可能である。
【図面の簡単な説明】
【００４５】
【図１】本発明の一実施形態に係る転写具のヘッドキャップを閉止位置に配した状態の斜視図。
【図２】同実施形態に係る転写具のヘッドキャップを開成位置に配した状態の斜視図。
【図３】同実施形態に係る転写具の分解斜視図。
【図４】同実施形態に係る転写具の側面図、底面図、及び中央縦断面図。
【図５】同実施形態に係る転写具の第１及び第２のケースを開放位置に相対移動させた状態の側面図。
【図６】同実施形態に係る転写具の第１のケースの側面図、底面図、及び中央縦断面図。
【図７】同実施形態に係る転写具の第２のケースの側面図、底面図、及び中央縦断面図。
【図８】同実施形態に係る転写具の保持機構の作用説明図。
【図９】同実施形態に係るヘッドキャップの右側面図、底面図、平面図、及び左側面図。
【図１０】同実施形態に係る回り止めの斜視図、正面図、側面図、及び平面図。
【符号の説明】
【００４６】
Ａ…転写具
３…リフィル
３２…供給リール
３３…巻取リール
３４…支持板
９…回り止め部材
【図１】
0004929477.tif 000002
【図２】
0004929477.tif 000003
【図３】
0004929477.tif 000004
【図４】
0004929477.tif 000005
【図５】
0004929477.tif 000006
【図６】
0004929477.tif 000007
【図７】
0004929477.tif 000008
【図８】
0004929477.tif 000009
【図９】
0004929477.tif 000010
【図１０】
0004929477.tif 000011